【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
コンピュータで実現され、生産印刷ワークフローを表現し制御するインタフェースにおいて、 
ディスプレイと、
ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上の第一の視覚的表現と関連付けられる、第一のドキュメント・オブジェクトと、
グローバルなドキュメント属性を表現するドキュメント・チケット・オブジェクトであって、前記ドキュメント・チケット・オブジェクトは前記ディスプレイ上の第二の視覚的表現と関連付けられ、前記第一のドキュメント・オブジェクトと関連付けられることもできる、ドキュメント・チケット・オブジェクトと、
前記少なくとも１ページの中の１ページのページ属性を表現するページ・オブジェクトであって、前記ページ・オブジェクトは前記ディスプレイ上の第三の視覚的表現と関連付けられ、前記第一のドキュメント・オブジェクトと関連付けられることもできる、ページ・オブジェクトと、
前記第一、第二、第三の視覚的表現の少なくとも二つを選択的に関連付ける第一のユーザ入力デバイスと、
前記ページ・オブジェクトを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページオブジェクトを生成し、それを、前記少なくとも１ページの中の１ページまたはそれを越えるページの各々と前記対応するドキュメント・オブジェクトに関連付ける、第二のユーザ入力デバイスとを備え、
前記第一、第二、第三の視覚的表現を関連付けることで前記それそれのオブジェクトを関連付けることになるインタフェース。
【請求項２】
コンピュータで実現され、生産印刷ワークフローを表現し制御するインタフェースにおいて、
ディスプレイと、
ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上の第一の視覚的表現と関連付けられる、第一のドキュメント・エンティティと、
グローバルなドキュメント属性を表現するドキュメント・チケット・エンティティであって、前記ドキュメント・チケット・エンティティは前記ディスプレイ上の第二の視覚的表現と関連付けられ、前記第一のドキュメント・エンティティと関連付けられることもできる、ドキュメント・チケット・エンティティと、
前記少なくとも１ページの中の１ページのページ属性を表現するページ・エンティティであって、前記ページ・エンティティは前記ディスプレイ上の第三の視覚的表現と関連付けられ、前記第一のドキュメント・エンティティと関連付けられることもできる、ページ・エンティティと、
前記第一、第二、第三の視覚的表現の少なくとも二つを選択的に関連付ける第一のユーザ入力デバイスと、
前記ページ・エンティティを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページエンティティを生成し、それを、前記少なくとも１ページの中の１ページまたはそれを越えるページの各々と前記対応するドキュメント・エンティティに関連付ける、第二のユーザ・入力デバイスとを備え、
前記第一、第二、第三の視覚的表現を関連付けることで前記それそれのエンティティを関連付けることになるインタフェース。
【請求項３】
生産印刷ワークフローの制御方法において、
（ａ）ドキュメントの第一の視覚的表現をディスプレイに表示し、
（ｂ）前記ディスプレイ上の前記ドキュメントと関連付けられることができるグローバルなドキュメント属性の第二の視覚的表現を表示し、
（ｃ）前記第一の視覚的表現を前記第二の視覚的表現に関連付け、
（ｄ）（ｃ）に基づき、前記グローバルなドキュメント属性を前記ドキュメントに適用するように、前記グローバルなドキュメント属性を前記ドキュメントにリンクし、
（ｅ）前記ディスプレイ上の１ページまたはそれを越えるページの中の１ページに関連付けることができるページ属性の第三の視覚的表現を表示し、
（ｆ）前記第三の視覚的表現を前記第一の視覚的表現に関連付け、
（ｇ）（ｆ）に基づき、前記ページ属性が前記１ページまたはそれを越えるページの中の対応する１ページに適用され、そこで、前記１ページまたはそれを越えるページの中の前記１ページに対する操作により、前記ページ属性が操作されるように、前記ページ属性を前記１ページまたはそれを越えるページの中の前記対応する１ページにリンクさせること
を含む前記制御方法。
【請求項４】
生産印刷ワークフローの管理システムにおいて、
ドキュメントを受け取るレシーバであって、前記ドキュメントは内容とドキュメント・フォーマッティングを含み、前記ドキュメント・フォーマッティングは前記内容の少なくとも１ページを定義し、前記少なくとも１ページの各々は少なくとも一つのページ特性で特性付けられている、レシーバと、
値を含み、前記少なくとも１ページに関連付けされることができ、前記値により、関連するページの前記少なくとも一つのページ特性の中の一つを制御することのできるページ属性と、
一つまたはそれを越える前記ページ属性に関連付けされることができるページ・チケットであって、前記ページ・チケットを前記ドキュメントに関連付けすることにより、前記一つまたはそれを越える前記ページ属性を前記ドキュメントに関連付ける、ページ・チケットと、
前記レシーバと結合され、ユーザが前記ドキュメントを見たり編集したりすることができるように動作できるエディターとを備え、
前記エディターはさらに、一つまたはそれを越える前記ページ属性を前記ドキュメントの前記少なくとも１ページの中の１ページまたはそれを越えるページに関連付けすること、一つまたはそれを越える前記ページ属性を前記ページ・チケットに関連付けすること、そして、一つまたはそれを越える前記ページ・チケットを前記ドキュメントの前記少なくとも１ページの中の１ページまたはそれを越えるページに関連付けすることを可能にするように動作できる、管理システム。
【請求項５】
生産印刷ワークフローの管理システムにおいて、
ドキュメントを受け取るレシーバであって、前記ドキュメントは内容とドキュメント・フォーマッティングを含み、前記ドキュメント・フォーマッティングは前記内容の少なくとも１ページを定義し、前記内容において、前記少なくとも１ページの各々は少なくとも一つのページ特性で特性付けられている、レシーバと、
値を含み、前記少なくとも１ページに関連付けされることができ、前記値により、関連するページの前記少なくとも一つのページ特性の一つを制御することのできるページ属性とを備え、
前記少なくとも１ページを操作すると、前記ページ属性に関連するいかなるものもが操作される、管理システム。
【手続補正２】
【補正対象書類名】明細書
【補正対象項目名】００５８
【補正方法】変更
【補正の内容】
【００５８】
したがって、上記の詳細な記述は限定するものではなく実例として見なされることを意図し、そして、本発明の趣旨と範囲を定義するように意図されたのは、すべての相当物を含む、後述の請求項であることは理解されることを意図している。
＜付記＞
コンピュータで実現され、生産印刷ワークフローを表現し制御するインタフェースにおいて、ディスプレイと、ドキュメントを表現する第一のドキュメント・オブジェクトであって、前記ドキュメントはさらに内容とフォーマッティングを含み、前記フォーマッティングは前記ドキュメントの少なくとも１ページを定義し、前記第一のドキュメント・オブジェクトは前記ディスプレイ上の第一の視覚的表現と関連付けられる、第一のドキュメント・オブジェクトと、グローバルなドキュメント属性を表現するドキュメント・チケット・オブジェクトであって、前記ドキュメント・チケット・オブジェクトは前記ディスプレイ上の第二の視覚的表現と関連付けられ、前記第一のドキュメント・オブジェクトと関連付けられることもできる、ドキュメント・チケット・オブジェクトと、前記少なくとも１ページの中の１ページのページ属性を表現するページ・オブジェクトであって、前記ページ・オブジェクトは前記ディスプレイ上の第三の視覚的表現と関連付けられ、前記第一のドキュメント・オブジェクトと関連付けられることもできる、ページ・オブジェクトと、前記第一、第二、第三の視覚的表現の少なくとも二つを選択的に関連付ける第一のユーザ入力デバイスと、前記ページ・オブジェクトを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページオブジェクトを生成し、それを、前記少なくとも１ページの中の１ページまたはそれを越えるページの各々と前記対応するドキュメント・オブジェクトに関連付ける、第二のユーザ入力デバイスとを備え、前記第一、第二、第三の視覚的表現を関連付けることで前記それそれのオブジェクトを関連付けることになるインタフェース。
前記ページ・オブジェクトを、前記第一のドキュメント・オブジェクトの前記ドキュメント内の前記少なくとも１ページの中の１ページに前記関連付けをすることは、前記ページ属性を前記少なくとも１ページの中の前記１ページに適用させるように動作する、（１）に記載のインタフェース。
前記ページ属性には、注釈付け、組付け、媒体の種類、媒体のソース、媒体の特性、両面か片面か(plex)、装丁、マスキングからなる群から選択された属性を含む、（１）に記載のインタフェース。
前記第二のユーザ入力デバイスには、前記ディスプレイ上に表現され、前記第一のユーザ入力デバイスと結合するメニューを含む、（１）に記載のインタフェース。
前記第二のユーザ入力デバイスには、前記ディスプレイ上に表現され、前記第一のユーザ入力デバイスと結合するダイアローグ・ボックスを含む、（１）に記載のインタフェース。
前記第二のユーザ入力デバイスは、前記少なくとも１ページの中の１ページまたはそれを越えるページの第四の視覚的表現の上に前記第三の視覚的表現をドラッグ・アンド・ドロップすることで前記選択を可能にするようにさらに動作できる、（１）に記載のインタフェース。
一つまたはそれを越える前記ページ・オブジェクトの関連付けされていないものの集まりを表現するページ・チケット・オブジェクトであって、前記ページ・チケット・オブジェクトは前記ディスプレイ上の第四の視覚的表現と関連付けられ、前記第一のドキュメント・オブジェクトと関連付けられることもできる、ページ・チケット・オブジェクトをさらに備える、（１）に記載のインタフェース。
前記ページ・チケット・オブジェクトを、前記第一のドキュメント・オブジェクトの前記ドキュメント内の前記少なくとも１ページの中の１ページに関連付けをすることは、一つまたはそれを越える前記ページ・オブジェクトの関連付けされていないものの前記集まりのそれぞれの関連付けを、前記少なくとも１ページの中の前記１ページと関連づけるように動作する、（７）に記載のインタフェース。
前記ページ・チケット・オブジェクトを、前記第一のドキュメント・オブジェクトの前記ドキュメント内の前記少なくとも１ページの中の１ページに関連付けをすることは、一つまたはそれを越える前記ページ・オブジェクトの関連付けされていないものの前記集まりのそれぞれの前記ページ属性を、前記少なくとも１ページの中の前記１ページに適用させるように動作する、（７）に記載のインタフェース。
前記関連付けにより、前記集まりの前記ページ・オブジェクトのそれぞれの複製を生成し、前記複製を前記少なくとも１ページの中の前記１ページに関連づけ、前記ページ・オブジェクトを前記関連付けされていない集まりに残す、（９）に記載のインタフェース。
前記集まりの結果において、一つまたはそれを越える前記ページ・オブジェクトでの前記ページ属性への、関連付け後の変更は、前記少なくとも１ページの中の前記１ページに適用される、（９）に記載のインタフェース。
前記ページ・オブジェクトはさらに前記第一のドキュメント・オブジェクトの前記少なくとも１ページの中の１ページと関連付けられることができ、前記ページ・オブジェクトが前記少なくとも１ページの中の前記１ページと関連付けられる場合、前記第一のドキュメント・オブジェクトにおいて、前記少なくとも１ページの中の前記１ページを操作することにより、前記関連付けられたページ・オブジェクトが操作される、（１）に記載のインタフェース。
前記操作には、切り取り、コピー、貼り付け、削除、記憶、印刷からなる群から選択された動作が含まれる、（１２）に記載のインタフェース。
前記少なくとも１ページの中の前記１ページをコピーすることにより、前記関連付けられたページ・オブジェクトもコピーされる、（１２）に記載のインタフェース。
前記ドキュメントはプリンタ用ファイル形式で符号化されている、（１）に記載のインタフェース。
前記プリンタ用ファイル形式は、ポータブル・ドキュメント・フォーマット、ポストスクリプト、そしてプリンタ制御言語からなる群から選択された形式である、（１５）に記載のインタフェース。
コンピュータで実現され、生産印刷ワークフローを表現し制御するインタフェースにおいて、ディスプレイと、ドキュメントを表現する第一のドキュメント・エンティティであって、前記ドキュメントはさらに内容とフォーマッティングを含み、前記フォーマッティングは前記ドキュメントの少なくとも１ページを定義し、前記第一のドキュメント・エンティティは前記ディスプレイ上の第一の視覚的表現と関連付けられる、第一のドキュメント・エンティティと、グローバルなドキュメント属性を表現するドキュメント・チケット・エンティティであって、前記ドキュメント・チケット・エンティティは前記ディスプレイ上の第二の視覚的表現と関連付けられ、前記第一のドキュメント・エンティティと関連付けられることもできる、ドキュメント・チケット・エンティティと、前記少なくとも１ページの中の１ページのページ属性を表現するページ・エンティティであって、前記ページ・エンティティは前記ディスプレイ上の第三の視覚的表現と関連付けられ、前記第一のドキュメント・エンティティと関連付けられることもできる、ページ・エンティティと、前記第一、第二、第三の視覚的表現の少なくとも二つを選択的に関連付ける第一のユーザ入力デバイスと、前記ページ・エンティティを生成する第二のユーザ入力デバイスであって、前記第二のユーザ入力デバイスは、前記ページ属性の選択、前記ページ属性の値の設定、そして前記ページ属性を適用する前記ドキュメントの前記少なくとも１ページの中の１ページまたはそれを越えるページの選択を可能にするように動作させることができ、適用時には、一つまたはそれを越える前記ページエンティティを生成し、それを、前記少なくとも１ページの中の１ページまたはそれを越えるページの各々と前記対応するドキュメント・エンティティに関連付ける、第二のユーザ・入力デバイスとを備え、前記第一、第二、第三の視覚的表現を関連付けることで前記それそれのエンティティを関連付けることになるインタフェース。
前記ページ・エンティティを、前記第一のドキュメント・エンティティの前記ドキュメント内の前記少なくとも１ページの中の１ページに前記関連付けをすることは、前記ページ属性を前記少なくとも１ページの中の前記１ページに適用させるように動作する、（１７）に記載のインタフェース。
前記ページ属性には、注釈付け、組付け、媒体の種類、媒体のソース、媒体の特性、両面か片面か(plex)、装丁、マスキングからなる群から選択された属性を含む、（１７）に記載のインタフェース。
前記第二のユーザ入力デバイスには、前記ディスプレイ上に表現され、前記第一のユーザ入力デバイスと結合するメニューを含む、（１７）に記載のインタフェース。
前記第二のユーザ入力デバイスには、前記ディスプレイ上に表現され、前記第一のユーザ入力デバイスと結合するダイアローグ・ボックスを含む、（１７）に記載のインタフェース。
前記第二のユーザ入力デバイスは、前記少なくとも１ページの中の１ページまたはそれを越えるページの第四の視覚的表現の上に前記第三の視覚的表現をドラッグ・アンド・ドロップすることで前記選択を可能にするようにさらに動作する、（１７）に記載のインタフェース。
一つまたはそれを越える前記ページ・エンティティの関連付けされていないものの集まりを表現するページ・チケット・エンティティであって、前記ページ・チケット・エンティティは前記ディスプレイ上の第四の視覚的表現と関連付けられ、前記第一のドキュメント・エンティティと関連付けられることもできる、ページ・チケット・エンティティをさらに備える、（１７）に記載のインタフェース。
前記ページ・チケット・エンティティを、前記第一のドキュメント・エンティティの前記ドキュメント内の前記少なくとも１ページの中の１ページに関連付けをすることは、一つまたはそれを越える前記ページ・エンティティの関連付けされていないものの前記集まりのそれぞれの関連付けを、前記少なくとも１ページの中の前記１ページと関連づけるように動作する、（２３）に記載のインタフェース。
前記ページ・チケット・エンティティを、前記第一のドキュメント・エンティティの前記ドキュメント内の前記少なくとも１ページの中の１ページに関連付けをすることは、一つまたはそれを越える前記ページ・エンティティの関連付けされていないものの前記集まりのそれぞれの前記ページ属性を、前記少なくとも１ページの中の前記１ページに適用させるように動作する、（２３）に記載のインタフェース。
前記関連付けにより、前記集まりの前記ページ・エンティティのそれぞれの複製を生成し、前記複製を前記少なくとも１ページの中の前記１ページに関連づけ、前記ページ・エンティティを前記関連付けされていない集まりに残す、（２５）に記載のインタフェース。
前記集まりの結果において、一つまたはそれを越える前記ページ・エンティティでの前記ページ属性への、関連付け後の変更は、前記少なくとも１ページの中の前記１ページに適用される、（２５）に記載のインタフェース。
前記ページ・エンティティはさらに前記第一のドキュメント・エンティティの前記少なくとも１ページの中の１ページと関連付けられることができ、前記ページ・エンティティが前記少なくとも１ページの中の前記１ページと関連付けられる場合、前記第一のドキュメント・エンティティにおいて、前記少なくとも１ページの中の前記１ページを操作することにより、前記関連付けられたページ・エンティティが操作される、（１７）に記載のインタフェース。
前記操作には、切り取り、コピー、貼り付け、削除、記憶、印刷からなる群から選択された動作が含まれる、（２８）に記載のインタフェース。
前記少なくとも１ページの中の前記１ページをコピーすることにより、前記関連付けられたページ・エンティティもコピーされる、（２８）に記載のインタフェース。
前記ドキュメントはプリンタ用ファイル形式で符号化されている、（１７）に記載のインタフェース。
前記プリンタ用ファイル形式は、ポータブル・ドキュメント・フォーマット、ポストスクリプト、そしてプリンタ制御言語からなる群から選択された形式である、（３１）に記載のインタフェース。
生産印刷ワークフローの制御方法において、（ａ）ドキュメントの第一の視覚的表現をディスプレイに表示し、（ｂ）前記ディスプレイ上の前記ドキュメントと関連付けられることができるグローバルなドキュメント属性の第二の視覚的表現を表示し、（ｃ）前記第一の視覚的表現を前記第二の視覚的表現に関連付け、（ｄ）（ｃ）に基づき、前記グローバルなドキュメント属性を前記ドキュメントに適用するように、前記グローバルなドキュメント属性を前記ドキュメントにリンクし、（ｅ）前記ディスプレイ上の１ページまたはそれを越えるページの中の１ページに関連付けることができるページ属性の第三の視覚的表現を表示し、（ｆ）前記第三の視覚的表現を前記第一の視覚的表現に関連付け、（ｇ）（ｆ）に基づき、前記ページ属性が前記１ページまたはそれを越えるページの中の対応する１ページに適用され、そこで、前記１ページまたはそれを越えるページの中の前記１ページに対する操作により、前記ページ属性が操作されるように、前記ページ属性を前記１ページまたはそれを越えるページの中の前記対応する１ページにリンクさせることを含む前記制御方法。
前記ページ属性には、注釈付け、組付け、媒体の種類、媒体のソース、媒体の特性、両面か片面か(plex)、装丁、マスキングからなる群から選択された属性を含む、（３３）に記載の方法。
前記ドキュメントはプリンタ用ファイル形式で符号化されている、（３３）に記載の方法。
前記プリンタ用ファイル形式は、ポータブル・ドキュメント・フォーマット、ポストスクリプト、そしてプリンタ制御言語からなる群から選択された形式である、（３５）に記載の方法。
前記（ａ）から（ｇ）はグラフィック・ユーザ・インタフェースにより実現される、（３３）に記載の方法。
前記グラフィック・ユーザ・インタフェースはオブジェクト指向である、（３７）に記載の方法。
生産印刷ワークフローの管理システムにおいて、ドキュメントを受け取るレシーバであって、前記ドキュメントは内容とドキュメント・フォーマッティングを含み、前記ドキュメント・フォーマッティングは前記内容の少なくとも１ページを定義し、前記少なくとも１ページの各々は少なくとも一つのページ特性で特性付けられている、レシーバと、値を含み、前記少なくとも１ページに関連付けされることができ、前記値により、関連するページの前記少なくとも一つのページ特性の中の一つを制御することのできるページ属性と、一つまたはそれを越える前記ページ属性に関連付けされることができるページ・チケットであって、前記ページ・チケットを前記ドキュメントに関連付けすることにより、前記一つまたはそれを越える前記ページ属性を前記ドキュメントに関連付ける、ページ・チケットと、前記レシーバと結合され、ユーザが前記ドキュメントを見たり編集したりすることができるように動作できるエディターとを備え、前記エディターはさらに、一つまたはそれを越える前記ページ属性を前記ドキュメントの前記少なくとも１ページの中の１ページまたはそれを越えるページに関連付けすること、一つまたはそれを越える前記ページ属性を前記ページ・チケットに関連付けすること、そして、一つまたはそれを越える前記ページ・チケットを前記ドキュメントの前記少なくとも１ページの中の１ページまたはそれを越えるページに関連付けすることを可能にするように動作できる、管理システム。
前記エディターは、さらに前記ページ属性の前記値を設定することができるように動作できる、（３９）に記載のシステム。
前記ページ属性に関連するものの前記値を変更すると、対応する関連ページの前記少なくとも一つのページ属性を変更することになる、（４０）に記載のシステム。
前記ページ属性には、注釈付け、組付け、媒体の種類、媒体のソース、媒体の特性、両面か片面か(plex)、装丁、マスキングからなる群から選択された属性を含む、（３９）に記載のシステム。
生産印刷ワークフローの管理システムにおいて、ドキュメントを受け取るレシーバであって、前記ドキュメントは内容とドキュメント・フォーマッティングを含み、前記ドキュメント・フォーマッティングは前記内容の少なくとも１ページを定義し、前記内容において、前記少なくとも１ページの各々は少なくとも一つのページ特性で特性付けられている、レシーバと、値を含み、前記少なくとも１ページに関連付けされることができ、前記値により、関連するページの前記少なくとも一つのページ特性の一つを制御することのできるページ属性とを備え、前記少なくとも１ページを操作すると、前記ページ属性に関連するいかなるものもが操作される、管理システム。
前記操作には、移動、切り取り、コピー、貼り付け、削除、記憶からなる群から選択された動作が含まれる、（４３）に記載のシステム。
前記ページ属性には、注釈付け、組付け、媒体の種類、媒体のソース、媒体の特性、両面か片面か(plex)、装丁、マスキングからなる群から選択された属性を含む、（４３）に記載のシステム。